(57)【特許請求の範囲】
【請求項１】
基礎上に立設した線材格子を備えた支柱に線材格子からなる線材格子フェンスパネルを取り付けて構成する線材格子フェンスの施工法であって、
前記支柱は、３本以上の柱縦線材にその上下方向に間隔をおいた多数の環状柱横線材を接合した筒状支柱とされ、
前記線材格子フェンスパネルは、上下に間隔をおいた横線材部分を有するリング状横線材を備え、上下方向に間隔をおいて配置されたリング状横線材の左右方向の両端部は、前記線材格子フェンスパネルにおける左右両端部の縦線材から左右方向の外側に突出するように設けられ、リング状横線材の左右方向の端部に、上下の横線材部分と前記各上下の横線材部分とを接続する接続部分を有する継手部を備えた線材格子フェンスパネルであり、
前記筒状支柱の下端部を基礎に埋め込み固定した後、
前記筒状支柱外側面の一つに前記線材格子フェンスパネルのリング状横線材の端部を当接して継手金物により接合し、
前記筒状支柱外側面の他の側面に別の線材格子フェンスパネルのリング状横線材の端部を挿入して継手金物で接合すること
を特徴とする線材格子フェンスの施工法。
【請求項２】
３者以上のそれぞれ所有者の異なる隣接する土地の敷地境界に、請求項１に記載の線材格子フェンスパネルと筒状支柱からなるフェンスを設置するにあたり、
敷地境界線上にフェンスを設置することを合意していない敷地境界では、一方の敷地内に基礎及び筒状支柱を設置し、該筒状支柱の外側面にフェンスパネルの横線材端部を接合して前記一方の敷地内と同じ敷地内に設置し、
境界線上に設置することを合意した敷地境界では、前記筒状支柱の一つの側面から線材格子フェンスパネルのリング状横線材を挿入して接合することを特徴とする線材格子フェンスの施工法。
【発明の詳細な説明】
【技術分野】
【０００１】
本発明は、住宅の庭や公園等に設置される線材格子フェンスの施工方法に関する。
【背景技術】
【０００２】
線材格子からなるフェンスとしては、フェンスパネルと支柱とが、それぞれ別体とされて、フェンスパネルを支柱に固定する形態の支柱別体型のフェンスが知られている（例えば、特許文献１、２参照）。
また、線材格子からなるフェンスパネルの少なくとも一端側に支柱を一体に備えた支柱一体型フェンスパネルも知られている（例えば、特許文献３〜５参照）。
また、線材格子フェンスパネルの上端部を湾曲させて、線材格子フェンスパネルの上端部に、長手方向に連続した胴縁を形成するようにして線材格子フェンスパネルの剛性を高めるようにした形態のフェンス又はフェンスパネルも知られている（例えば、特許文献３〜５参照）。
また、線材格子フェンスパネルの上端部を湾曲させて胴縁を形成することなく、線材格子フェンスパネル自体の剛性を高めるために、横線材を縦線材の前後から挟みつけるようにした形態のフェンスパネルも知られている（例えば、特許文献６〜８参照）。
【先行技術文献】
【特許文献】
【０００３】
【特許文献１】特開昭６４−３６８７７号公報
【特許文献２】実公平６−３８８９３号公報
【特許文献３】特開平１−２２３２２７５号公報
【特許文献４】特公平５−３９３９０号公報
【特許文献５】実公昭６２−４３０９３号公報
【特許文献６】実開昭５８−１９０６２号公報
【特許文献７】特公平２−５８０１５号公報
【特許文献８】特公平１−３７５４６号公報
【発明の概要】
【発明が解決しようとする課題】
【０００４】
住宅と住宅の敷地の境界にフェンスを設置する場合には、隣接する居住者または所有者の合意により境界線上に設置する場合と、境界線上に跨らず、いずれかの一方の敷地内に設置する場合とがある。
先行技術文献に示した例の場合に、敷地境界線上に設置する支柱及びフェンスパネルと敷地境界線上にでなく、敷地内にフェンスパネルと支柱を連続して設置する場合には、異なる支柱及びフェンスパネルを使用しなければならなかった。
敷地所有者が異なる隣接する敷地が２つの場合による一つの敷地境界線の場合、あるいは隣接する敷地が３以上の場合の複数の敷地境界線の場合等に、敷地境界線上にフェンスを立設する合意がある場合には、敷地境界線上に基礎及び支柱並びにフェンスパネルの中心軸線が位置するように連続して設置することができ、敷地境界線上にフェンスを立設する合意が得られない場合には、敷地境界線に接近して敷地内に基礎及び支柱並びにフェンスパネル設けるようになる。
このように敷地境界線上にフェンスパネルを設置する場合あるいは、敷地境界線に接近してフェンスパネルを設置する場合に、同じフェンスパネルと支柱とを用いると共に簡単な継手金物で対応可能なフェンスの施工方法になると、容易に施工でき、安価なフェンスを構築することができため、そのようなフェンスの施工法が要望される。
そこで、本発明は、そのような要望に対応可能な設置形態の選択の自由度の高く、同じ形状の線材格子フェンスパネルを複数用いて、筒状支柱における側面の環状柱横線材間に配置して継手金物により接合したり、筒状支柱における環状柱横線材間に挿入するように配置して継手金物により接合可能な線材格子フェンスの施工法を提供することを目的とする。
【課題を解決するための手段】
【０００５】
第１発明の線材格子フェンスの施工法では、
基礎上に立設した線材格子を備えた支柱に線材格子からなる線材格子フェンスパネルを取り付けて構成する線材格子フェンスの施工法であって、
前記支柱は、３本以上の柱縦線材にその上下方向に間隔をおいた多数の環状柱横線材を接合した筒状支柱とされ、
前記線材格子フェンスパネルは、上下に間隔をおいた横線材部分を有するリング状横線材を備え、上下方向に間隔をおいて配置されたリング状横線材の左右方向の両端部は、前記線材格子フェンスパネルにおける左右両端部の縦線材から左右方向の外側に突出するように設けられ、リング状横線材の左右方向の端部に、上下の横線材部分と前記各上下の横線材部分とを接続する接続部分を有する継手部を備えた線材格子フェンスパネルであり、
前記筒状支柱の下端部を基礎に埋め込み固定した後、
前記筒状支柱外側面の一つに前記線材格子フェンスパネルのリング状横線材の端部を当接して継手金物により接合し、
前記筒状支柱外側面の他の側面に別の線材格子フェンスパネルのリング状横線材の端部を挿入して継手金物で接合すること
を特徴とする。
第２発明の線材格子フェンスの施工法においては、
３者以上のそれぞれ所有者の異なる隣接する土地の敷地境界に、第１発明の線材格子フェンスパネルと筒状支柱からなるフェンスを設置するにあたり、
敷地境界線上にフェンスを設置することを合意していない敷地境界では、一方の敷地内に基礎及び筒状支柱を設置し、該筒状支柱の外側面にフェンスパネルの横線材端部を接合して前記一方の敷地内と同じ敷地内に設置し、
境界線上に設置することを合意した敷地境界では、前記筒状支柱の一つの側面から線材格子フェンスパネルのリング状横線材を挿入して接合することを特徴とする。
【発明の効果】
【０００６】
本発明によると、端部に継手部を備えた複数の線材格子フェンスパネルと、筒状支柱と、接合金物を組み合わせて、線材格子フェンスパネルの一端側の継手部を筒状支柱の外側面に配置したり、筒状支柱の外側面から差し込むように配置して少ない種類の接合金物により接合することにより、３つ以上の土地所有者の異なる敷地境界に的確に対応可能な線材格子フェンスを構築することができる等の効果が得られる。また、同じ形状の線材格子フェンスパネルと筒状支柱と接合金物を用いて線材格子フェンスを構築することができるため、施工も容易であり、熟練を要することなく、施工することができる等の効果が得られる。
【図面の簡単な説明】
【０００７】
【図１】敷地境界部における一つの支柱に対して、支柱の前面側及び側面側に線材格子フェンスパネルを配置すると共に前記筒状支柱に対して線材格子フェンスパネルを差し込むように配置した形態を示す一部横断平面図、図２の一部を拡大して示す図である。
【図２】本発明の方法により線材格子フェンスパネルを筒状支柱に設置した線材格子フェンスを示す平面図である。
【図３】図２に示す線材格子フェンスの正面図である。
【図４】（ａ）は本発明のフェンスにおける筒状支柱と線材格子フェンスとの上部の取り付け部を示す図（図３のＡ部を拡大して示す図）で、左側における手前側のリング状横線材の継ぎ手部を一部切欠いて示す正面図で、（ｂ）は図１のａ−ａ線断面図である。
【図５】（ａ）は本発明のフェンスにおける筒状支柱と線材格子フェンスとの下部の取り付け部を示す図（図３のＢ部を拡大して示す図）で、左側における手前側のリング状横線材の継ぎ手部を一部切欠いて示す正面図で、（ｂ）は（ａ）のｂ−ｂ線断面図である。
【図６】（ａ）は、図４（ａ）又は図５（ａ）の縦断正面図、（ｂ）は（ａ）のｃ−ｃ−線断面図である。
【図７】（ａ）は本発明におけるフェンスに用いられる線材格子フェンスを示す正面図、（ｂ）は平面図である。
【図８】（ａ）は図１に示す線材格子フェンスの側面図、（ｂ）は本発明におけるフェンスに用いられる線材からなる筒状支柱を示す正面図、（ｃ）は（ｂ）の平面図である。
【図９】敷地境界部における一つの支柱に対して、線材格子フェンスパネルを支柱の前面側に配置すると共に筒状支柱の背面側及び側面側に線材格子フェンスパネルを差し込むように配置した形態を示す一部横断平面図、図１０の一部を拡大して示す図である。
【図１０】本発明の方法により線材格子フェンスパネルを筒状支柱に設置した線材格子フェンスを示す横断平面図である。
【図１１】図１０に示す線材格子フェンスの正面図である。
【図１２】（ａ）は本発明のフェンスにおける筒状支柱と線材格子フェンスとの上部の取り付け部を示す図（図１１のＡ部を拡大して示す図）で、左側における手前側のリング状横線材の継ぎ手部を一部切欠いて示す正面図で、（ｂ）は図９のｂ−ｂ線断面図である。
【図１３】（ａ）は本発明のフェンスにおける筒状支柱と線材格子フェンスとの下部の取り付け部を示す図（図１１のＢ部を拡大して示す図）で、左側における手前側のリング状横線材の継ぎ手部を一部切欠いて示す正面図で、（ｂ）は図１２（ｂ）に対応した断面図である。
【図１４】（ａ）は図９のｃ−ｃ線断面図、（ｂ）は（ａ）のｄ−ｄ線断面図である。
【図１５】（ａ）は線材格子フェンスパネルの中間部を筒状支柱の前面側に配置した形態を示す横断平面図、（ｂ）は、線材格子フェンスパネルの端部を筒状支柱の前面側及び側面側に配置した形態を示す横断平面図である。
【図１６】敷地境界部における一つの支柱に対して、一方の筒状支柱の前面側及び側面側に配置すると共に他方の筒状支柱に対して差し込むように配置すると共に側面に配置した形態を示す一部切り欠き横断平面図である。
【図１７】フェンスにおいて用いる第２の継手金物の一形態を示す斜視図である。
【図１８】（ａ）は本発明の線材格子フェンスを用いたフェンスにおいて用いる係止片の一方を示す斜視図、（ｂ）は係止脚部を有する係止金具を示す斜視図である。
【図１９】（ａ）は本発明の一実施形態の線材格子フェンスパネルを用いたフェンスの他の例を示す一部切欠き正面図、（ｂ）は平面図である。
【図２０】（ａ）は本発明の線材格子フェンスパネルを用いたフェンスにおける筒状支柱と線材格子フェンスとの上部の取り付け部を示す正面図で、図１９のＡ部付近を拡大して示す図であり、（ｂ）は（ａ）の横断平面図、（ｃ）は（ａ）のｅ−ｅ線断面図である。
【図２１】（ａ）は本発明の線材格子フェンスパネルを用いたフェンスにおける筒状支柱と線材格子フェンスとの下部の取り付け部を示す正面図で、図１９のＢ部付近を拡大して示す図であり、（ｂ）は（ａ）の横断平面図、（ｃ）は（ａ）のｆ−ｆ線断面図である。
【図２２】（ａ）は本発明のフェンスの端部側の筒状支柱と線材格子フェンスとの上部の取り付け部を示す正面図で、図１９の端部の上部付近を拡大して示す図であり、（ｂ）は（ａ）の横断平面図、（ｃ）は（ａ）のｇ−ｇ線断面図である。
【図２３】（ａ）は本発明のフェンスの端部側の筒状支柱と線材格子フェンスとの他の取り付け形態を示す正面図であり、（ｂ）は（ａ）の横断平面図、（ｃ）は（ａ）のｈ−ｈ線断面図である。
【発明を実施するための形態】
【０００８】
次に、本発明を図示の実施形態に基づいて詳細に説明する。
【０００９】
まず、図７及び図８（ａ）を参照して、本発明において用いる線材格子フェンスパネル１の一実施形態について説明すると、上端が半円状（図示の場合）又は弧状或はコ字状等に湾曲した湾曲接続部２ａを介して、下方に平行に２本の縦線材２ｂが伸びる複数（図示の場合は多数）の湾曲縦線材２が横方向に間隔をおいて同じ高さで配置され、前記各湾曲縦線材２の片面側（前面側）に渡って、リング状横線材３が上下方向に間隔をおいて複数配置されて前記各湾曲縦線材２に溶接により接合されている。
また、少なくとも最上段の前面側のリング状横線材３の背面側には、各湾曲縦線材２を挟んで、後面側のリング状横線材３が前記各湾曲縦線材２に溶接により接合されて、剛性が高められている。
最上段の前後の前記各リング状横線材３は、湾曲縦線材２における上端から下方に離れた位置に設置されていることで、線材格子フェンスパネル１における上端が連続した水平部分を形成することなく、湾曲接続部２ａが間隔をおいて形成された不連続状態としていることから、小動物（猫等）が乗る場所をなくし、小動物の歩行及び走行を困難にしている。湾曲縦線材２の上端は、コ字状よりも弧状或は半円状、半円状よりも逆Ｖ字状とする方が、小動物（猫等）が乗る場所がなくなる分、好ましいが、図示のように半円状とする方が怪我をする恐れがなく人にやさしい形状である。
【００１０】
図示の形態では、最下段の前面側のリング状横線材３の背面側には、各湾曲縦線材２を挟んで、後面側のリング状横線材３が前記各湾曲縦線材２に溶接により接合されて、剛性が高められ、胴縁を必要としない形態の安価な線材格子フェンスパネル１としている。
前記の各リング状横線材３は、その両側端は、端部側の湾曲縦線材２よりも、横方向に突出するように設けられて継手部４を形成している。
図示の実施形態では、前記の継手部４は、リング状横線材３における上下の横線材端部による水平な横部分４ａと、横部分４ａを接続する垂直な縦部分４ｂとを備えている。
突出した継手部４の形態としては、図示のように、コ字状でも、弧状又は半円状でもよいが、縦部分４ｂを備え、上下の横線材相互を接続してリング状としていればよい。前記の縦部分４ｂは垂直である方が、隣り合う線材格子フェンスパネル１の縦部分４ｂ間の間隙が小さくなり、網目が小さくなるから望ましい。
各リング状横線材３内には、リング状横線材３の横長さ寸法よりも短い短尺横線材５が、両側端の湾曲縦線材２に渡って配置されて、各湾曲縦線材２に溶接により固定されて、短尺横線材５がリング状横線材３から横長さ方向に突出しないように設けられている。
上下に間隔をおいたリング状横線材３間には、各湾曲縦線材２の後面側において、前記短尺横線材５と同様な、短尺横線材５がリング状横線材３から横長さ方向に突出しないように設けられている。
前記のリング状横線材３における横線材部分と短尺横線材５とが、上下方向に等間隔をおいて密に配置されていることで、網目を小さくして、小動物の侵入を防止可能にされている。短尺横線材５は、湾曲縦線材２の下部、又は下部と中間部に、接合されている線材格子フェンスパネル１とされていると、網目を小さくして、小動物の侵入を確実に防止することができる。
前記各短尺横線材５がリング状横線材３から横長さ方向に突出しないように設けられていることで、短尺横線材５の端部により怪我をしないようにされている。特に、リング状横線材３に同面状に配置された短尺横線材５に接触する前に、リング状横線材３に接触するようになるため、怪我をする恐れが少なく安全性が向上している線材格子フェンスパネル１とされている。
なお、前記の湾曲縦線材２又はリング状横線材３或は短尺横線材５としては、例えば、丸鋼棒が用いられる。
【００１１】
次に、図８（ｂ）（ｃ）を参照して、本発明の線材格子フェンスに用いる筒状支柱６について説明する。
左右方向及び前後方向に間隔をおいて同じ高さ位置に配置された３本以上（図示の場合は、４本）の柱縦線材７に対して、各柱縦線材７を囲むように、前記各柱縦線材７の上下方向に間隔をおいて、長方形又は矩形環状等の環状柱横線材８を配置し、各柱縦線材７に環状柱横線材８を接合して、筒状鉄筋籠状の筒状支柱６が形成されている。前記の柱縦線材７が３本以上の筒状支柱６の場合に、平面視で柱縦線材７は少なくとも各コーナー部に配置される。
下端側の一つ又は複数の環状柱横線材８及び柱縦線材７の下端部は、基礎９に埋め込み固定され、下端側の一つ又は複数の環状柱横線材８は抜け出し防止用アンカー材として機能する。前記の環状柱横線材８及び柱縦線材７としては、丸鋼棒が用いられる。
上下間の各環状柱横線材８は、線材格子フェンスパネル１側におけるリング状横線材３及び短尺横線材５と高さ位置が異なるように設けられている。
最上段の環状柱横線材８とこれに間隔をおいて下側で隣接する下位の環状柱横線材８間の間隔を、リング状横線材３における端部の継手部４又は中間部の上下横線材間の高さ寸法よりも若干大きい寸法とされて、筒状支柱６の前面側における上下の環状柱横線材８間にリング状横線材３の端部の継手部４又は中間部を配置可能にされている。このようにすることで、筒状支柱６の前面側において横方向に隣り合う、線材格子フェンスパネル１の側端の継手部４相互を配置したり、リング状横線材３の中間部を配置できるようにされている。
【００１２】
図１に3人の土地所有者の例を示す。ＫさんとＬさんは、両者の敷地の境界にフェンスを設置するにあたり、境界線上に線材格子フェンスパネル１を設置することで合意ができた。ＬさんとＭさんとの間でも境界線上に線材格子フェンスパネル１を設置することで合意ができた。ところが、ＫさんとＭとの間では、合意ができなかったが、Ｋさんは、どうしても、Ｍさんとの境界にフェンスが必要なので、Ｋさんの敷地内に設置することとした事例を示す。
【００１３】
（線材格子フェンス及びその構築方法について）
前記のフェンス設置条件を満足させるために、筒状支柱６を自分の敷地Ｋ内に設置した形態を図１に示す。図１に示す形態は、３つ以上の所有者の異なる敷地が隣り合う敷地境界付近のＫの敷地に１つの筒状支柱６を配置して、その筒状支柱６に対して、複数枚（３枚以上）の線材格子フェンスパネル１を組み込んだ形態である。
前記のような形態を可能にするため、図４，５に示すように、線材格子フェンスパネル１を筒状支柱６に取り付ける場合には、例えば、筒状支柱６の前面側又は側面側の上下の環状柱横線材８間に線材格子フェンスパネル１の継手部４を配置して継手金物により固定したり、筒状支柱６の前面（又は背面）側の上下の環状柱横線材８間に、線材格子フェンスパネル１の継手部４を差し込むように配置して継手金物により固定することで、同じ継手金物又は異なる継手金物を使用して、筒状支柱６に複数の線材格子フェンスパネル１を固定できるようにしている。
【００１４】
次に、より具体的に、前記の線材格子フェンスパネル１を線材筒状支柱６に、第１の継手金物１３、第２の継手金物５３、前記第１の継手金物１３又は第２の継手金物５３を第３の箇所の継手金物として用いて固定して、フェンスを構築する形態について説明する。
【００１５】
図１〜図６は、３つの敷地Ｋ，Ｌ，Ｍが隣接する、或は３つの敷地Ｋ，Ｌ，Ｍに分割する場合のフェンスの構築方法を説明するための説明図であり、図１に示すように、２点鎖線示す隣地Ｋ，Ｌ，Ｍとの敷地境界線Ｘ、Ｙがある場合に適用した形態である。
図２又は図３に示すように、敷地Ｋ，Ｍとの敷地境界Ｘ及び敷地Ｋ，Ｍとの敷地境界Ｙに沿って敷地Ｋ内に沿って立設された筒状支柱６は、横方向に間隔をおいて配置されて、各筒状支柱６の下端部が、地盤に構築されたコンクリート基礎又は中空部を有するコンクリートブロック積み基礎に充填されるモルタルにより埋め込み固定されて、基礎９に立設固定される。
また、敷地Ｋ，Ｌとの敷地境界線に線材格子フェンスパネル１の中心軸線が位置するように基礎及び筒状支柱６をＫ敷地内に寄せて設けた形態が示されている。
【００１６】
前記のようにして各筒状支柱６の下端部を基礎９に固定した後、筒状支柱６に複数の線材格子フェンスパネル１が順次設置されて線材格子フェンスが構築されている。
【００１７】
次に、図１における筒状支柱６の側周面のうちの前面側左に設置され、敷地境界線Ｘに線材格子フェンスパネル１の中心軸線が一致するように設置されている線材格子フェンスパネル１と筒状支柱６の取り付け形態について説明する。
図４〜図６に線材格子フェンスパネル１における最上段及び最下段のリング状横線材３の継手部４の取り付け構造を示すように、図１における筒状支柱６の前面側の左側に配置された線材格子フェンスパネル１は、その線材格子フェンスパネル１における最上段及び最下段のリング状横線材３の側端の継手部４が、筒状支柱６に対して第１の継手金物１３により取り付けられている。
前記の第１の継手金物１３は、継手ボルト挿通孔１１を有する上下一対の係止片３２（図１８（ａ）参照）及びボルト１７・ナット１８を備えた継手金物で、これにより固定する構造とされている。
線材格子フェンスパネル１の端部の継手部４を筒状支柱６に固定する一端部側では、線材格子フェンスパネル１の一端部の各後部のリング状横線材３の継手部４を筒状支柱６に固定すればよいことから、継手部４の縦部分をボルト１７よりも左右方向の外側（右側）に位置するように筒状支柱６の前面側に配置し、各後部のリング状横線材３の側端の各継手部４と、上下の環状柱横線材８とを囲むように、係止溝３０を有すると共にボルト挿通孔３１を有する上下一対の係止片３２が、環状柱横線材８及び継手部４に嵌合され、各係止片３２をボルト１７及びこれにねじ込まれるナット１８からなる第１の継手金物１３により連結一体化することで、線材格子フェンスパネル１を筒状支柱６の前面側に固定している。
前記のように線材格子フェンスパネル１の平面中心軸線を、敷地境界線Ｘに合致するように筒状支柱６に設置することができる。
図１における筒状支柱６の左側面に位置するように奥部側に設置されている線材格子フェンスパネル１（１Ｃ）は、前記の第１の継手金物１３と同じものを第３の継手金物として用いて、線材格子フェンスパネル１（１Ｃ）の平面中心軸線を敷地境界線Ｙに合致するように配置して、継手金物１３により筒状支柱６に固定している。
【００１８】
図１における筒状支柱６の右側に設置された線材格子フェンスパネル１は、線材格子フェンスパネル１と筒状支柱６との上端部及び下端部の取り付け部をそれぞれ拡大して示す図４（ａ）及び図５（ａ）、又は一部を拡大して示す図６に示すように、筒状支柱６及び線材格子フェンスパネル１は、敷地Ｋ内に位置するように設置するべく、線材格子フェンスパネル１は、その各リング状横線材３における継手部４が筒状支柱６内に挿入配置される。
このように、各リング状横線材３における左右両端の継手部４を、隣り合う筒状支柱４内にそれぞれ挿入配置するために、平面視の左右方向で、リング状横線材３における左右方向一方の継手部４の先端から左右方向他方の湾曲縦線材２の端部の縦線材２ｂ外側までの寸法Ｌ３（図７参照）が、間隔をおいて隣り合う筒状支柱６における環状柱横線材８間の距離Ｌ４（図２参照）より長いと、線材格子フェンスパネル１における一側部の各継手部４のほぼ全体を一方の筒状支柱６内に挿入配置するように線材格子フェンスパネル１を一方にスライド移動させると、他側部の各継手部４を他方の筒状支柱６の側面に対向するように配置することができ、その状態で、他方の各継手部４を他方の筒状支柱６内に挿入するように、線材格子フェンスパネル１を他方にスライド移動させることで、線材格子フェンスパネル１を、筒状支柱６間に配置することができる。この場合に、筒状支柱６における環状柱横線材８上に、リング状横線材３における下側の横部分４ａを載置した状態でスライド移動することができるため、線材格子フェンスパネル１を容易に筒状支柱６間に配置し、筒状支柱６における環状柱横線材８上に載置することができる。
上端部及び下端部又は必要に応じ、中間部に位置するリング状横線材３における継手部４が筒状支柱６に継手金物を用いて取り付けられる。
なお、格子状フェンスパネル１側の各短尺横線材５と、筒状支柱６側の各環状柱横線材８とは、異なる高さ位置となるように設けられている。
【００１９】
図示の形態では、右側の線材格子フェンスパネル１の左右両端は、上端部及び下端部が第２の継手金物５３を用いて取り付けられている。
各筒状支柱６の各側面側における縦中心軸線（又は平面視の中心軸線）に対して、湾曲縦線材２の中心軸線が一致又は近接するように、各線材格子フェンスパネル１の継手部４が配置される。
また、線材格子フェンスパネル１における最上段の前後（正面側及び背面側）のリング状横線材３の継手部４と、最下段の前後のリング状横線材３の継手部４とが、それぞれ、上部の間隔をおいた上下一対の環状柱横線材８間、及び下部の上下一対の環状柱横線材８間における下側の環状柱横線材８上に載置されるように配置される。
そして、各前後のリング状横線材３の側端の各継手部４における上部の横部分４ａと、間隔をおいた上下一対の環状柱横線材８における上部の環状柱横線材８とは、第２の継手金物５３により接合されている。また、各継手部４における下部の横部分４ａと、間隔をおいた上下一対の環状柱横線材８における下部の環状柱横線材８とは、反転配置された第２の継手金物５３により接合されている。
前記の各第２の継手金物５３は、前後のリング状横線材３の継手部４における横部分４ａを把持固定する部分を備えている。前記の把持固定する部分は、図示の形態では、溝付き金具１０（図１７参照）における接続板部分１１と座金１２とボルト１７及びナット１８とにより形成されている。
図１７にボルト１７・ナット１８を省略して分解して示すように、第２の継手金物５３は、両側部に脚部１４を有する断面溝形の接続板部分１１にボルト挿通孔１５を設け、脚部１４と接続板部分１１とにより形成される溝１６内に挿入可能な巾寸法とされた座金１２を備え、前記接続板部分１１のボルト挿通孔１５と座金１２に挿通されるボルト１７及びこれにねじ込まれるナット１８を備えている。接続板部分１１に雌ねじ孔を設けてボルトをねじ込むようにすれば、ナットを省略する形態とすることも可能である。
前記の接続板部分１１に、環状柱横線材８の線材部分を嵌合係止するため溝１９を備えた係止部２０が一体に連設されている。
環状柱横線材８の線材部分を嵌合係止する係止部２０の溝１９は、環状柱横線材８の線材の断面半径よりも深い溝深さとするとよく、係止部２０の溝側の内側面は先端に向かって溝が浅くなるように傾斜面２１とされていることで、溝付き金具１０の環状柱横線材８に対する嵌合係止を、傾斜面２１を利用して確実にガイドして、配置可能にしている。
図示の形態では、前記の溝付き金具１０と座金１２とボルト・ナット等を備えた第２の継手金物５３とされているが、環状柱横線材８の線材部分を把持するクランプ部を備えた継手金物としてもよい。
図示の実施形態では、前後のリング状横線材３における上部の各横線材部分を把持固定する第２の継手金物５３は、リング状横線材３の上側に配置されて、筒状支柱６側の上下一対の環状柱横線材８における上側の環状柱横線材８にその上側から嵌合係止され、また、前後のリング状横線材３における下部の各横線材４ａ部分を把持固定する第２の継手金物５３は、リング状横線材３の下側に配置されて、前記筒状支柱６側の上下一対の環状柱横線材８における下側の環状柱横線材８にその下側から嵌合係止されているので、上下の第２の継手金物５３により、線材格子フェンスパネル１を筒状支柱６に対して、上下方向及びフェンスパネル長手方向の横方向に拘束した状態で、筒状支柱６に取り付けることができる。
【００２０】
ここで、図１７を参照して、前記の第２の継手金物５３についてさらに説明すると、継手金物５３における前記の接続板部分１１と係止部２０とは、一枚の鋼板が折り曲げ加工されて形成されている。接続板部分１１における脚部１４間の寸法は、前後のリング状横線材３における継手部４の外側間の寸法よりも僅かに大きくされ、前後の継手部４間にボルト１７を挿通可能にするために、接続板部分１１のほぼ中央部にボルト挿通孔１５を備えている。
また、前記の座金１２は、矩形状鋼板にボルト挿通孔が設けられた形態とされ、接続板部分１１の内側面に近接するように座金１２の側面が配置されることで、座金１２の回り止めを図っている。また、座金１２により各継手部４の横線材４ａによる横部分４ａの下側を接続板部分１１に向かって押圧するようにして、各横部分４ａを把持固定するようにされている。
【００２１】
前記のように、同じ線材格子フェンスパネル１と同じ筒状支柱６を用いて、敷地境界線ＸとＹがある場合に、筒状支柱６を敷地境界付近に正確に設置すると共に、その筒状支柱６に対して、複数の線材格子フェンスパネル１を、敷地境界線Ｘ又はＹに対して、平面中心軸線が一致（敷地Ｋ，Ｌ又は敷地Ｌ，Ｍとの関係）又は近接（敷地Ｋ，Ｍとの関係）するように正確に配置して、筒状支柱６に設置することができるようにされている。
【００２２】
前記のような線材格子フェンスを構築する方法では、敷地境界付近の所定の位置に基礎１５に固定するように筒状支柱６を立設し、少なくとも１枚の線材格子フェンスパネル１はその端部の継手部４を前記筒状支柱６の側面（前面側又は側面側）に配置して第１の継手金物１３により前記筒状支柱６に接合し、少なくとも他の１枚の線材格子フェンスパネル１はその端部の継手部４を前記筒状支柱６における上下に隣り合う環状柱横線材８間に挿入するように配置して第２の継手金物５３により前記筒状支柱６に接合することで、一つの筒状支柱６に対して集合させるようにして、線材格子フェンスを構築することができる。また、前記の第１の接合金物１３と同じ接合金物を第３の接合金物として用いて、さらに他の線材格子フェンスパネル１を筒状支柱６の奥部側面に接合することで、異なる敷地所有者の要望に確実に対応して、同じ線材格子フェンスパネル１及び筒状支柱６を用いて、熟練を必要としないで容易に施工することができるようにされている。
【００２３】
（線材格子フェンスの構築方法の他の形態について）
次に、図９〜１４に示されている他の形態の線材格子フェンスについて説明する。
前記の形態と異なる点は、この形態では、ＫさんとＬさんとの間で筒状支柱６をその中心軸線を敷地境界線Ｙに一致させるように合意されている場合の設置形態で、Ｋさんの敷地Ｋと、Ｌさんの敷地Ｌとの敷地境界線上に線材格子フェンスパネル１と筒状支柱６の中心軸線が一致するように線材格子フェンスを構築した形態である。
【００２４】
図９において、筒状支柱６における周側面のうち、前面側の左に設置されている線材格子フェンスパネル１は、前記と同様に第１の継手金物１３により筒状支柱６に接合され、前記筒状支柱６における右側面側において、線材格子フェンスパネル１における各リング状横線材３の継手部４を、上下の環状柱横線材８間に差し込むように挿入配置して第２の接合金物５３により固定するようにして設置している点は、前記と同様であるので、同様な要素には、同様な符号を付している。
また、図９に示す形態では、筒状支柱６の背面側において、線材格子状フェンスパネル１におけるリング状横線材３の端部の継手部４を、上下の環状柱横線材８間に差し込むように配置し、また、敷地境界線Ｙに線材格子フェンスパネル１の中心軸線を合致するように配置し、前記の第２の接合金物５３と同じ金物を第３の接合金物として用いて、各線材格子状フェンスパネル１を敷地境界線Ｘ，Ｙに確実に設置するようにしている。
【００２５】
ＫさんとＭさんとの合意があり、線材格子フェンスパネル１の平面中心軸線を敷地境界線Ｘと一致させることができる場合には、筒状支柱６に対して、線材格子フェンスパネル１を前面側に左右対称に配置できる場合には、図１９〜図２１に示すように、さらに、第１の継手金物１３にさらに図１８（ｂ）に示すような金物を付属させた第１の継手金物１３とすることで、筒状支柱６に対して左右対称に線材格子フェンスパネル１を配置して、接合するようにしてもよい。
前記の形態についてさらに、図１９におけるＡ部及びＢ部を拡大して示す図２０及び図２１を参照して説明する。
図示の形態では、線材格子フェンスパネル１は、その最上段及び最下段の継手部４が、それぞれ第１の継手金物１３を用いて取り付けられている。
各筒状支柱６の前面側における縦中心軸線に対して、左右対称に、各線材格子フェンスパネル１の継手部４が配置される。
かつ、線材格子フェンスパネル１における最上段の後部（背面側）のリング状横線材３の継手部４と、最下段の後部のリング状横線材３の継手部４とが、それぞれ、上部の上下一対の環状柱横線材８間、及び下部の上下一対の環状柱横線材８間における下側の環状柱横線材８上に載置されるように配置される。そして、各後部のリング状横線材３の側端の各継手部４と、上下の環状柱横線材８とを囲むように、係止溝３０を有すると共にボルト挿通孔３１を有する上下一対の係止片３２（図１８ａ参照）を備えた第１の継手金物１３における前記係止片３２が前記環状柱横線材８及び継手部４に嵌合される。
また、前部側のリング状横線材３の継手部４における縦部分４ｂを利用して、隣り合うリング状横線材３の縦部分４ｂ相互が離反しないように、ボルト挿通孔１４を有する断面コ字状の係止金具３５（図１８ａ参照）における各係止脚部３６間に各縦部分４ｂが位置し、各係止脚部３６が係止片３２側に向くように配置して、上下一対の係止片３２のボルト挿通孔３１と、係止金具３５のボルト挿通孔３４とに渡って、第１の継手金物１３におけるボルト１７の軸部が挿通されると共にナット１８がねじ込まれて、左右の線材格子フェンスパネル１における継手部４は筒状支柱６に取り付けられている。また、隣り合う線材格子フェンスパネル１の継手部４を利用して、筒状支柱６の前面側においても、フェンスパネルの網目を形成するようにすることができる。
前記の係止金具３５は、鋼板が折り曲げ形成されて、本体部の両側に各係止脚部３６が形成されると共に本体部にボルト挿通孔３４が形成されて、断面コ字状の係止金具とされ、係止脚部３６の突出長さ寸法は、リング状横線材３の線径と同じか、僅かに小さい寸法とされ、リング状横線材３を係止片３５に向かって押圧可能にされていることが望ましい。
【００２６】
ここで、図１８を参照して、前記の上下一対の係止片３２についてさらに説明すると、各係止片３２は、長方形の鋼板がその中間部で円弧状に折り曲げられて、円弧状接続部３９を介して短尺脚部４０と長尺脚部４１が形成されていると共に各脚部の円弧状接続部３９の内側に係止溝３０が形成され、また、長尺脚部４１の先端側には、ボルト挿通孔を備えている。
前記のような係止片３２を、図に示すように、上下点対称になるように配置し、かつ上部の係止片３２が、各後部のリング状横線材３の側端の各継手部４と、上側の環状柱横線材８とを囲むように配置される。
また、下部の係止片３２が、各後部のリング状横線材３の側端の各継手部４と、下側の環状柱横線材８とを囲むように配置され、各係止片３２の長尺脚部４１に渡って、継手部４間においてボルト１７を挿通して連結することで、隣り合う線材格子フェンスパネル１と筒状支柱６との前後方向の一体化を図るようにしている。
しかも前記実施形態では、筒状支柱６の前面側において、左右方向に隣り合う線材格子フェンスパネル１における前部のリング状横線材３の側部の継手部４の縦部分４ｂを、その前部側に配置された係止金具３５の係止脚部３６間に配置することで、さらに係止金具３５を前記のボルト１７を利用して前後一対の係止片３２に取り付けることで、左右方向に隣り合う線材格子フェンスパネル１が左右方向に離反するのを防止し、しかも筒状支柱６との左右方向の一体化を図っている。
前記の係止片３２の左右方向の巾寸法Ｌ１（図２０参照）が、筒状支柱６における前面側の左右方向に隣り合う柱縦線材７間の寸法Ｌ２よりも若干小さい寸法とされていることで、また、ボルトにより締め付け固定することで、左右の線材格子フェンスパネル１の左右方向のずれをなくしている。
【００２７】
前記実施形態の変形形態として、図示を省略するが、各係止片３２の前面側に左右方向に間隔をおいて前方に突出する係止脚部を一体に設け、各係止脚部を、左右の線材格子フェンスパネル１の縦部分４ｂを拘束するように係合させることで、係止金具を省略することも可能である。この場合には、係止脚部を有する各係止片３２を、前後の線材格子フェンスパネル１における継手部４間に挿入するようにすればよい。
【００２８】
図１９及び図２２には、線材格子フェンスパネル１におけるリング状横線材３の側端の継手部４と、筒状支柱６との取り付け構造が示されている。ボルト挿通孔３１を有する上下一対の係止片３２及びボルト・ナットにより固定する構造とされている。
端部側では、線材格子フェンスパネル１の一端部の各後部のリング状横線材３の継手部４を筒状支柱６に固定すればよいことから、継手部４の縦部分をボルト１７よりも左右方向の外側に位置するように筒状支柱６の前面側に配置し、各後部のリング状横線材３の側端の各継手部４と、上下の環状柱横線材８とを囲むように、係止溝３０を有すると共にボルト挿通孔３１を有する上下一対の係止片３２が環状柱横線材８及び継手部４に嵌合され、各係止片３２をボルト１７及びこれにねじ込まれるナット１８からなる第１の継手金物１３により連結一体化することで、線材格子フェンスパネル１を筒状支柱６の前面側に固定している。
【００２９】
図２３に示すように、線材格子フェンスパネル１におけるリング状横線材３の左右方向の他端側を筒状支柱６の前面に配置できない場合には、湾曲縦線材２における縦線材間のリング状横線材３を、上下一対の係止片３２及びボルト１７及びナット１８による第１の継手金物１３により、筒状支柱６に取り付けるようにしてもよい。
【００３０】
フェンスの端部側において線材格子フェンスパネル１を筒状支柱６に接合する場合には、筒状支柱６は柱縦線材７を前後方向及び左右方向に間隔をおいて配置されていることから、図１５に示すように、筒状筒状支柱６の側面にも、前面側の線材格子フェンスパネル１と同じ高さ位置に、同様な側面の線材格子フェンスパネル１を配置して、第１の継手金物１３により、前記と同様に筒状支柱６に取り付けることができる。この場合、敷地境界線上又はその近傍に線材格子フェンス１又は筒状支柱６を配置する。
【００３１】
平面視で一辺が傾斜しているような特殊な敷地形状によっては、図１６に示すように、筒状支柱６の前面側に線材格子フェンスパネル１の一端側の継手部４を、筒状支柱６の側面における上下の環状柱横線材８間に差し込むように挿入配置して、第２の継手金物５３により継手部４を筒状支柱６に接合し、他端側の継手部４を筒状支柱６の前面側における上下の環状柱横線材８間に配置して第１の接合金物１３（又は第３の接合金物３３により継手部４を接合するようにしてもよい。
この場合に、間隔をおいて隣り合う筒状支柱６は、平面視で同じ敷地内又は敷地境界線上に配置して、線材格子フェンスパネル１を傾斜させて配置して、端部の継手部を接合するようにしてもよい。
【００３２】
前記のように、本発明では、一端部に同じ形状の継手部４（図示の形態では、両端部に同じ形状の継手部４）を備えた複数の線材格子フェンスパネル１と、前記筒状支柱６と、接合金物を組み合わせて、フェンスを設置する場合の要望及び設置条件並びに敷地境界に的確に対応可能な線材格子フェンスを構築することができる。また、同様な線材格子フェンスパネル１と筒状支柱６と接合金物を用いて線材格子フェンスを構築することができるため、施工も容易であり、熟練を要することなく、施工することができる。
【符号の説明】
【００３３】
１  線材格子フェンスパネル
２  湾曲縦線材
２ａ  湾曲接続部
２ｂ  縦線材
３  リング状横線材
４  継手部
４ａ  横部分
４ｂ  縦部分
５  短尺横線材
６  筒状支柱
７  柱縦線材
８  環状柱横線材
９  基礎
１０  溝付き金具
１１  接続板部分
１２  座金
１３  継手金物（第１の継手金物）
１４  脚部
１５  ボルト挿通孔
１６  溝
１７  ボルト
１８  ナット
１９  溝
２０  係止部
２１  傾斜面
３０  係止溝
３１  ボルト挿通孔
３２  係止片
３４  ボルト挿通孔
３５  係止金具
３６  係止脚部
３９  円弧状接続部
４０  短尺脚部
４１  長尺脚部
５３  継手金物（第２の継手金物）
【図１】
0005662216.tif 000002
【図２】
0005662216.tif 000003
【図３】
0005662216.tif 000004
【図４】
0005662216.tif 000005
【図５】
0005662216.tif 000006
【図６】
0005662216.tif 000007
【図７】
0005662216.tif 000008
【図８】
0005662216.tif 000009
【図９】
0005662216.tif 000010
【図１０】
0005662216.tif 000011
【図１１】
0005662216.tif 000012
【図１２】
0005662216.tif 000013
【図１３】
0005662216.tif 000014
【図１４】
0005662216.tif 000015
【図１５】
0005662216.tif 000016
【図１６】
0005662216.tif 000017
【図１７】
0005662216.tif 000018
【図１８】
0005662216.tif 000019
【図１９】
0005662216.tif 000020
【図２０】
0005662216.tif 000021
【図２１】
0005662216.tif 000022
【図２２】
0005662216.tif 000023
【図２３】
0005662216.tif 000024